(57)【要約】【課題】廃油管理システムと方法の提供。【解決手段】この廃油管理システムは、廃油を収容する少なくとも一つの容器と、廃油提供者情報と廃油情報を表示するための識別装置とを包含する。本発明はまた該システムを利用した廃油管理と取引の方法を提供し、識別装置の具備する情報を用い、廃油の管理、販売或いは民生物資との交換などの取引を行う営業モードを実行し、営業センターが有効に物流、金流及び情報流を掌握して、廃油提供業者が簡単に廃油販売、新鮮油との交換の取引のサービスを完成できるようにする。【選択図】図１
2010282614.tif 000002
【特許請求の範囲】
【請求項１】
廃油管理方法において、
通知に基づき、特定地点にて、情報が記録された識別装置が設置された容器に保存された廃油が回収されるステップ、
該情報が読み取られ並びに該容器中の廃油に対して検証プロセスが実行されるステップ、
検証の結果に基づき取引プロセスが実行されるステップ、
を包含したことを特徴とする、廃油管理方法。
【請求項２】
廃油管理方法において、
通知に基づき、特定地点にて、容器に保存された廃油が回収されるステップ、
該容器中の廃油に対して検証プロセスが実行されるステップ、
該検証プロセスにより形成された廃油特徴に対応する識別装置が該容器に貼り付けられるステップ、
検証の結果に基づき取引プロセスが実行されるステップ、
を包含したことを特徴とする、廃油管理方法。
【請求項３】
請求項１或いは請求項２に記載の廃油管理方法において、該識別装置はワイヤレス通信モジュールとされることを特徴とする、廃油管理方法。
【請求項４】
請求項１或いは請求項２に記載の廃油管理方法において、該通知の方式は、ワイヤレス通信モジュールが該容器内の廃油の保存量を検出し、並びに該保存量に基づいてワイヤレス通信信号を発信し、ワイヤレスネットワークを通して管理ユニットに伝送することを特徴とする、廃油管理方法。
【請求項５】
請求項３記載の廃油管理方法において、該容器には、該廃油の特徴を検出するための少なくとも一つのセンサが設置されて、該センサは該ワイヤレス通信モジュールに電気的に接続されたことを特徴とする、廃油管理方法。
【請求項６】
請求項２記載の廃油管理方法において、該検証プロセスでは廃油の品質に対し確認が実行されることを特徴とする、廃油管理方法。
【請求項７】
請求項１或いは請求項２に記載の廃油管理方法において、該検証プロセスは更に、
該識別装置が具備する情報に基づき身分確認を実行するステップと、
廃油の品質に対して確認を実行するステップと、
を包含することを特徴とする、廃油管理方法。
【請求項８】
請求項１或いは請求項２に記載の廃油管理方法において、取引プロセスの後に、取得された廃油に対して加工処理が実行され再生油が得られるステップを更に包含することを特徴とする、廃油管理方法。
【請求項９】
請求項１或いは請求項２に記載の廃油管理方法において、該廃油の収集の前に、さらに、
新鮮油がある費用で購入されるステップと、
該費用の特定割引率の価格で該新鮮油が販売されるステップと、
をさらに包含することを特徴とする、廃油管理方法。
【請求項１０】
請求項９記載の廃油管理方法において、収集される廃油は、該特定割引率の価格で販売された該新鮮油が使用されて形成した廃油であることを特徴とする、廃油管理方法。
【請求項１１】
廃油管理システムにおいて、
廃油を保存するための容器と、
該容器に設置されて情報が記録された識別装置と、
特定地点より発信された通知を受け取り、特定の廃油回収装置を該特定地点に調整派遣し該容器内に収容された廃油を収集させる管理ユニットと、
を包含したことを特徴とする、廃油管理システム。
【請求項１２】
請求項１１記載の廃油管理システムにおいて、該識別装置はワイヤレス通信モジュール、手書き識別装置或いはバーコードとされることを特徴とする、廃油管理システム。
【請求項１３】
請求項１２記載の廃油管理システムにおいて、該容器にさらに、該廃油の特徴を検出する少なくとも一つのセンサが設置され、該センサは該ワイヤレス通信モジュールと電気的に接続されていることを特徴とする、廃油管理システム。
【請求項１４】
請求項１２記載の廃油管理システムにおいて、該管理ユニットは該ワイヤレス通信モジュールの伝送した情報に基づき、情報分析を行ない、該情報分析は廃油提供者の身分と油使用習慣の分析、廃油品質分析、市場占有率分析、該廃油回収装置の調整分析、及び油精錬生産調整の分析を包含することを特徴とする、廃油管理システム。
【請求項１５】
請求項１１記載の廃油管理システムにおいて、該識別装置の情報を読み取るための読み書き装置をさらに具えたことを特徴とする、廃油管理システム。
【請求項１６】
請求項１１記載の廃油管理システムにおいて、表示ユニットをさらに具えたことを特徴とする、廃油管理システム。
【発明の詳細な説明】
【技術分野】
【０００１】
本発明は一種の廃油管理システムと方法に係り、特に一種の廃油管理を利用した方法に関する。
【背景技術】
【０００２】
石化燃料は日増しに減少しているため、石化燃料価格は下がらず、２００８年６月には１ガロン１４０米ドルまで高騰した。過去の代替えエネルギーは生産コストが高すぎ、このため石油の主要なエネルギー資源としての地位は未だ揺るぐことがない。しかし、原油価格の高騰と代替えエネルギー技術の進歩により、両者の間のコストの差は次第に減少し、ゆっくりと各種の代替えエネルギーが頭角を表しつつある。
【０００３】
廃油は鉱物油或いは動植物油のいずれであっても、加工精錬することで、エンジン、燃焼器、或いはボイラーで使用される燃料或いは再利用の原料となり得て、典型的なグリーンエネルギーであり、グリーンエネルギーの発展は、経済の持続的発展、エネルギー資源の節約と二酸化炭素低減して環境ストレスを減らすほか、都市部の空気汚染を減らし廃棄物の再利用に重要な貢献を果たす。
【０００４】
しかし、廃油回収業者にとっては、既存の廃油回収は全ての回収廃油が分類も情報管理もされることなく、全て大型回収タンク内に投入されて、品質が良好或いは品質が粗悪な廃油が一緒に混入され、さらには化学変化を発生し、多くの高分子重合物を形成し沈殿して油泥を発生し、後続の油純化処理のコストを増加させる。このほか、伝統的な廃油回収は、ほとんどが電子秤或いはアナログ秤により測量され、廃油重量が測定された後に、さらに廃油重量を購入金額に換算して取引が行われる。この方式は以下のような欠点を形成する。１．使用する廃油回収業者の秤或いは廃油提供業者の秤は調整が容易であるため、公平性に疑いがある。２．廃油数量が膨大である時、アナログ秤で測定するが、大多数の廃油提供業者はホテル、レストラン、ファーストフードショップであり、このような場所ではほとんどがアナログ秤を具えておらず、不便である。３．廃油品質は重量のほか、油自体の性質も値下げの重要な根拠となり、伝統的は廃油重量のみが価格決定の基準であったが、廃油回収業者の経験から、廃油に過多の水分が含まれているか、或いは酸価或いはヨウ素価が買取基準に達していなければ、前処理コストがアップすることになり、この時、廃油提供業者と値段を交渉し、返金を求めることになるが、すでに取引現場から離れていると、交渉は難しくなる。最後に、廃油回収業者は廃油の回収に対して受動的に通知を受ける立場であり、廃油提供業者が電話で廃油の回収を告知する時、車両の積載可能量を調整する必要があるが、臨時回収車両の調整の都合がつかずに競争相手に先を越されてしまうことがある。
【０００５】
このほか、周知の廃油管理システムでは、通常、新鮮油使用業者は、新鮮油のコストを削減するため、ほとんどは新鮮油を何度も使用し、油製品の酸価がアップする。食用大豆油を例に挙げると、その過度に使用した後の廃油酸価は通常２以上となり、これは油処理した食品の品質に影響を与えるのみならず、食べる人の健康にも影響を与える。
【０００６】
以上の問題に基づき、さらに非常の部分で改善が必要であり、このため一種の廃油管理システムと方法を提供することで従来の技術の問題を解決することが必要である。
【発明の概要】
【発明が解決しようとする課題】
【０００７】
本発明は一種の廃油管理システムと方法を提供することを目的とし、それは、識別情報を利用して物流、金流及び情報流の整合情報管理を達成し、これにより廃油提供業者が簡単に廃油販売、新鮮油への交換の取引が行えるようにし、及び、このサービスを提供をする廃油回収業者が有効に物流（廃油が廃油提供業者よりエリア営業所に至り、さらに生産工場に至り、新鮮な油（例えば動植物油、石化油、ミネラルオイル、工業用油、バイオケロシン及びバイオガソリン）が生産後方からエリア営業所に至りさらに廃油提供業者に至る、双方向物流の管理）、金流（廃油販売、新鮮油との交換或いは売買などの取引の行為）及び情報流（生産向上、各エリア営業所、銀行、廃油、新鮮油及び廃油提供業者等の情報状態）の管理作業を掌握できるようにするものとする。
【０００８】
本発明はさらに、一種の廃油管理システムと方法を提供することを目的とし、それは、ワイヤレス識別技術を廃油容器上に利用し、ワイヤレスチップが主動的に情報を発射し、ワイヤレスネットワーク及びＧＰＳが構成する綿密な通信網を通し、廃油回収業者が廃油性質のリアルタイム動態情報（例えば、廃油重量、容量、水分、酸価、ヨウ素価等）を掌握でき、廃油回収業者の営業センターが廃油回収に対して情報を厳格に掌握し、廃油回収自由度を調整し、工場に有効に生産させ、各種のコストダウンを図れるようにするものとする。
【０００９】
本発明はさらに、一種の廃油管理システムと方法を提供することを目的とし、それは測定器が油容器に設けられ、廃油性質、例えば廃油重量、容量、水分、酸価、ヨウ素価、過酸化物価等の検査を行ない、このほか、容器に表示ユニットが設けられ、廃油提供業者と廃油回収業者の双方が簡単に現在の容器内の油の容量或いは重量を目視して了解でき、並びに関係測定情報をワイヤレスチップ、バーコード、携帯電話、ＰＤＡ、ノートパソコン或いはデスクトップパソコンに記録して、廃油回収時の価格の根拠となすものとする。
【００１０】
本発明は一種の廃油管理方法を提供し、使用者にさらに有利な価格で新鮮油製品を購入させ、廃油回収業者が廃油を確実に回収でき、同業者との悪質な競争が廃油資源の不安定を形成するのを防止するものとする。
【課題を解決するための手段】
【００１１】
ある実施例において、本発明は一種の廃油管理システムを提供し、それは、廃油を保存するための容器と、該容器に設置されて、情報を記録する識別装置と、特定地点の発信する通知を受け取り、特定の廃油回収装置を該特定地点に調整して至らせて廃油を収集する管理ユニットと、を包含する。
【００１２】
別の実施例において、本発明はさらに廃油管理方法を提供し、それは以下のステップを包含し、すなわち、通知に基づき、特定地点に至り、情報を記録した識別装置が設けられた容器に保存された廃油を収集するステップと、該情報を読み取り並びに該容器中の該廃油に対して検証プロセスを実行し、検証の結果により取引プロセスを実行するステップ、以上を包含する。
【００１３】
別の実施例において、本発明はさらに廃油管理方法を提供し、それは以下のステップを包含し、すなわち、通知に基づき、特定地点に至り、容器に保存された廃油を収集するステップと、該容器中の廃油に対して検証プロセスを実行し、該検証プロセスの後、該廃油の特徴に対応する識別装置を該容器に貼り付けるステップと、該検証の結果に基づき取引プロセスを実行するステップ、以上を包含する。
【００１４】
別の実施例において、本発明はさらに廃油管理方法を提供し、それは以下のステップを包含し、すなわち、ある価格で新鮮油を購入するステップ、該資金の特定の割引率の価格で該新鮮油を販売し、通知を受けて特定地点に至り、廃油を収集し、該廃油は該特定の割引率で販売された該新鮮油を使用後に形成された廃油とするステップ、容器中の廃油に対して検証プロセスを実行するステップ、検証プロセスの後に該廃油の品質に対応する識別装置を形成して該廃油を収集した容器に貼り付け、検証の結果に基づき、取引プロセスを実行するステップ、以上を包含する。
【発明の効果】
【００１５】
本発明の廃油管理システムは、廃油を収容する少なくとも一つの容器と、廃油提供者情報と廃油情報を表示するための識別装置とを包含する。本発明の、該システムを利用した廃油管理と取引の方法は、識別装置の具備する情報を用い、廃油の管理、販売或いは民生物資との交換などの取引を行う営業モードを実行し、営業センターが有効に物流、金流及び情報流を掌握して、廃油提供業者が簡単に廃油販売、新鮮油との交換の取引のサービスを完成できるようにする。
【図面の簡単な説明】
【００１６】
【図１】本発明の廃油管理システムの実施例表示図である。
【図２Ａ】本発明の容器の実施例表示図である。
【図２Ｂ】本発明の容器のその他の実施例表示図である。
【図２Ｃ】本発明の容器のその他の実施例表示図である。
【図２Ｄ】本発明のワイヤレス通信モジュールの別の実施例表示図である。
【図２Ｅ】本発明のワイヤレス通信モジュールのまた別の実施例表示図である。
【図３】本発明の廃油管理方法の第１実施例のフローチャートである。
【図４】本発明の容器情報読み取り表示図である。
【図５】本発明の検証プロセスフローチャートである。
【図６】本発明の廃油管理方法の第２実施例のフローチャートである。
【図７】本発明の廃油管理方法の第３実施例のフローチャートである。
【発明を実施するための形態】
【００１７】
本発明の特徴、目的及び機能に対してさらなる認知と了解をえられるように、以下に本発明の装置の関係細部構造及び設計の理念について、説明を行ない、本発明の特徴についてご理解いただけるようにする。
【００１８】
図１は本発明の廃油管理システムの実施例表示図である。該廃油管理システム２は、少なくとも一つの容器２０を包含し、それは一般家庭、ファーストフード店、レストラン或いは自動車修理工場等に設置され得るが、これに限定されるわけではない。各容器２０内には廃油が収容され、該廃油は容器の置かれる場所により違いがある。たとえば、容器が一般家庭、ファーストフード店、レストランに設置される場合は、廃油は調理過程で形成された廃油或いは調理で残った油である。このほか、容器が自動車修理工場に設置される場合は、排気は機械油の廃油である。該容器の材料は、金属或いは非金属の容器とされ得る。たとえば、該容器は金属或いは非金属製の樽状の容器とされるか（図２Ａ或いは図２Ｂ）、或いは非金属材料（例えばフレキシブルなプラスチック或いはゴム或いは高分子材料）で形成された袋状の容器（図２Ｃ）等とされ得る。このほか、容器にはさらに表示ユニット２７が設けられ、廃油提供者と廃油回収者の双方が目視で現在容器内にある廃油の容量或いは重量がわかるものとされ、いずれも、本発明の可能な実施態様である。
【００１９】
図２Ａを参照されたい。該図は本発明の容器の実施例表示図である。この実施例では、該容器２０は樽状の容器とされ、該容器２０は、廃油の注入を行える開口２００を有する。ある実施例では、開口部分に廃油中の不純物を濾過できるフィルタネットが設けられる。該容器２０には識別装置２１が設けられ、それには該容器に関する身分情報（容器コード、容器所在位置、廃油提供者の連絡用電話番号、会社或いは個人の名称、過去の取引状況等の情報）が記録されている。該識別装置はリアルタイムに廃油品質の状態を記録できるか、或いは、検証の後に発生する検証品質の識別装置を容器に貼り付けることができるが、これに限定されるわけではない。該識別装置２１は、ワイヤレス通信モジュール（ＲＦＩＤ,radio frequency identification tag)、ＧＰＲＳチップモジュール、ＷＩＭＡＸチップモジュール、３Ｇ、３．５Ｇチップモジュール、バーコード（一次元バーコード、或いは２次元バーコード）、さらには手書き識別ラベルとされ得るが、これに限定されるものではない。本実施例では、該識別装置はバーコードとされ、それはバーコードリーダーによりバーコード内部の内容が読み取られる。該容器２０の一側には、さらに表示ユニット２７が設置されて容器２０内に収容された廃油の容積或いは重量が表示される。本実施例では、該表示ユニット２７は目盛り表とされる。
【００２０】
図２Ｂに示されるのは、容器の別の実施例である。該容器２０の外形は基本的に上述の図２Ａと相似であるが、差異は容器２０上の識別装置がワイヤレス通信モジュール２１ａとされ、該ワイヤレス通信モジュール２１ａ内には該容器と該廃油保存に関する情報が記録される。該容器２０の情報は、該ワイヤレス通信モジュール２１ａよりワイヤレス信号として発信され、さらにネットワーク（有線或いはワイヤレスネットワーク、例えばＲＦＩＤ通信ネットワーク、ＷＬＡＮ、ＷＩＭＡＸ、ＧＰＳ、ＧＰＲＳ、３Ｇ、或いは３．５Ｇ）を介して特定の位置に伝送される。このほか、該容器の情報は、該ワイヤレス通信モジュール２１ａにより読み書き装置２２と通信し、該ワイヤレス通信モジュール２１ａに記録された情報が伝送或いは書き込まれる。該読み書き装置２２は該ワイヤレス通信モジュール２１ａ内に記録された情報を読み取ることができ、それは、携帯電話、ＰＤＡ、ノートパソコン或いはデスクトップコンピュータ内に設置され得るが、これに限定されるわけではない。もし、該識別装置がバーコードの時、該読み書き装置はバーコードリーダーとされ得る。本実施例では、該容器２０のあるエリアは図１に示されるようであり、該エリア２３中に、複数のワイヤレスネットワークアクセスポイント（例えば、ＷＩＭＡＸ、ＧＰＳ、ＧＰＲＳ、３Ｇ、３．５Ｇのワイヤレスネットワークアクセスポイントとされ得るが、これに限定されるわけではない）２３０が設けられて、ワイヤレスネットワークエリアが形成される。各ワイヤレスネットワークアクセスポイント２３０は有線或いはワイヤレスの方式で、エリア内の管理ユニット２４と電気信号の接続を形成する。
【００２１】
該管理ユニット２４は、コンピュータ、ワークステーション或いはサーバー等、演算能力を有する装置とされるが、それに限定されるわけではない。本発明の管理ユニットは、好ましいいくつかの実施態様を有し、そのうち一つの実施例は図１のようであり、その管理ユニットは、少なくとも一つのエリアサーバー２４０と中央管理装置２４１を包含する。そのうち、少なくとも一つのエリアサーバー２４０は、該ワイヤレスネットワークエリア２３内の特定位置（例えば、エリアサービスステーション或いはエリアサービスセンター内）にそれぞれ設置され、それは行政エリア区画或いは各エリアの廃油回収総量により区分される。該中央管理装置２４１は中央管理センター内に設置されて、少なくとも一つのエリアサーバー２４０と電気信号の接続を形成し、こうして各エリアサーバー２４０の発信する情報を総合管理する。該管理ユニットの別の実施例では、中央管理装置（すなわち、図１中のエリアサーバー２４０と中央管理装置２４１が一つに整合されたもの）の方式とされ、該中央管理装置が直接各容器の発信する情報を受信し、総合管理の動作を行う。管理ユニットがどの実施方式を選択するかは、使用者の必要により決定される。
【００２２】
図２Ｂに示されるように、該ワイヤレス通信モジュール２１ａはＲＦＩＤタグ２１０ａ、ＧＰＳモジュール２１１ａ、及びセンサ２１２ａと２１３ａを組み合わせたものとされ得る。そのうち、ＲＦＩＤタグ２１０ａは、アクティブ或いはパッシブＲＦＩＤタグとされ得る。ＧＰＳモジュール２１１ａは、該容器２０の位置を定位する。該センサ２１２ａと２１３ａは水分率センサ、重量センサ、容量センサ、酸価センサ、ヨウ素価センサ、液面位置センサ、過酸化物価センサ或いは前述のセンサの組合せとされ得るが、これに限定されるわけではない。センサの配置の位置は、必要により欠点され、たとえば、該容器底面或いは側面に設置される。センサ２１２ａと２１３ａが検出する信号は、直接がＲＦＩＤタグ２１０ａ内に保存される。このほか、該ワイヤレス通信モジュール２１ａ内には、該容器に係る身分情報、たとえば、容器コード、廃油提供者情報（電話、住所と姓名等）、容器情報（容器体積、重量、廃油提供者（業者））、日付（前回廃油回収の日付）等の情報が記録され得るが、これに限定されるわけではない。このほか、該ワイヤレス通信モジュール２１ａにはさらに表示ユニット２８が接続されて、それはデジタル表示ユニット、たとえば、発光ダイオードディスプレイ或いは液晶ディスプレイとされる。該表示ユニット２８は容器或いは廃油の関係情報（たとえば重量、容積或いは各種センサの測定情報）を表示することができる。
【００２３】
別の実施例では、図２Ｄに示されるように、該ワイヤレス通信モジュールは、ワイヤレスセンサネットワークモジュール２１ｂとされ得て、それはコントロールモジュール２１０ｂ、ワイヤレス送受信モジュール２１１ｂ、ＧＰＳモジュール２１２ｂ、センサ２１３ｂ及び保存ユニット２１４ｂを整合したものとされる。該コントロールモジュール２１０ｂは全体のワイヤレスセンサネットワークモジュール２１ｂのコントロール中枢とされ、それは各ユニットと電気的に接続される。このほか、該コントロールモジュール２１０ｂはまた容器上に設置されたその他のセンサ２１５ｂと電気信号の接続を形成して、センサの検出信号を総合受信するし、それを保存ユニット２１４ｂ（たとえば、ＲＦＩＤ、メモリ或いはハードディスク等の保存媒体）に記録し、及びワイヤレス送受信モジュールにより信号を発射するものとされ得る。ワイヤレスセンサネットワークモジュール２１ｂ中のセンサ２１３ｂと２１５ｂは、重量センサ、容量センサ、酸価センサ、ヨウ素価センサ、過酸化物価センサ或いはこれらのセンサの任意の組合せとされ得るが、これに限定されるわけではない。測定された情報は、該保存ユニット２１４ｂ内に保存され、該保存ユニット２１４ｂ内にはさらに該容器に関する身分データ、たとえば、廃油提供者情報、容器情報（容器体積、重量、容器提供者情報）、日付（前回廃油回収日付）等を保存されるが、これに限定されるわけではない。
【００２４】
ワイヤレスセンサネットワークモジュール２１ｂはワイヤレス送受信モジュール２１１ｂにより保存ユニット２１４ｂ内の情報をワイヤレスセンサネットワークを通してエリアサーバーに伝送し、さらに中央管理装置に伝送する。該コントロールモジュール２１０ｂはさらに、表示ユニット２８と電気信号の接続を形成し、表示ユニット２８が容器或いは廃油の関係情報（たとえば重量、容積或いは各種センサの測定情報）を表示できるようにする。図２Ｃに示されるように、該容器は桶状の構造とされるほか、袋体２０ｂの構造としてもよく、それは、廃油入口２００ｂを具え、それにフィルタネット２０１ｂ、ワイヤレス通信モジュール２１ａ及び該ワイヤレス通信モジュール２１ａに接続された表示ユニット２８を具えている。該袋体２０ｂ内にはセンサが設けられて、廃油の品質或いは容量状態を検出する。
【００２５】
このほか、図２Ｅは本発明のワイヤレスセンサネットワークモジュールの別の実施例表示図である。この実施例では、該ワイヤレス通信モジュール２１ｃは、コントロールモジュール２１０ｃ、通信チップモジュール２１１ｃ、ＧＰＳモジュール２１２ｃ、センサ２１３ｃと保存ユニット２１４ｃを整合している。コントロールモジュール２１０ｃは、全体のワイヤレス通信モジュール２１ｃのコントロール中枢とされ、それは各ユニットと電気信号の接続を形成する。本実施例の各部品は基本的に図２Ｄのものと相似であるが、異なるところは、該通信チップモジュール２１１ｃはＧＰＲＳチップモジュール、ＷＩＭＡＸチップモジュール、３Ｇ、３．５Ｇチップモジュールとされ得る。センサが信号を検出する時、例えば重量センサが容器内の油量が一定程度に達したことを検出すると、コントロールモジュール２１０ｃは通信チップモジュール２１１ｃを制御して信号をエリアサーバーに発信し、並びに廃油が満タンとなったメッセージを通信ネットワークを通して発信する。エリアサーバーはメッセージを受信すると、廃油回収の人員を特定位置に派遣して廃油を回収させる。保存ユニット２１４ｃは廃油品質或いは容器身分及び廃油提供者身分等の関係情報を記録できる。
【００２６】
再び、図２Ｂを参照されたい。該容器はセンサを具え、そのうち、重量センサ２１３は廃油の重量を測定し、これにより該センサ２１３の発生する信号により廃油の保存量を判断し、もし、特定値を超過（例えば８０％を超過）していれば、ワイヤレス通信モジュールがリアルタイムに通知信号を発生し、通知信号はワイヤレスネットワーク（ＷＬＡＮ、ＷＩＭＡＸ、ＧＰＳ、ＧＰＲＳ、３Ｇ、３．５Ｇ）を通して管理ユニット２４に伝送される。重量センサのほかに、液面位置センサの方式により保存量を判断してもよい。さらに図１に示されるように、本実施例の管理ユニット２４は、エリアサーバー２４０と中央管理装置２４１の組合せとされる。エリアサーバー２４０は廃油回収員の調整を請け負い、並びに関係する情報を中央管理装置２４１に送る。エリアサーバー２４０は廃油回収通知を受け取った後、廃油回収する廃油回収装置２５（例えば、廃油タンクローリー）を調整して容器の所在地に廃油回収に向かう。容器の自動通知メカニズムを利用するほか、廃油容器所在位置の廃油提供者は電子メール、電話或いは末端装置をエリアサーバー２４０に登録して廃油回収を申請できるが、これに限定されるわけではない。エリアサーバー２４０は関係する廃油処理通知を受けた後、廃油回収装置２５を調整して回収場所に向かわせる。
【００２７】
別に、中央管理装置は各地のエリアサーバーの伝送する情報、例えば回収廃油の重量、容量、水分、酸価、過酸化値及びヨウ素価等の情報、廃油提供者情報、容器所在位置などを受け取ると、該中央管理装置は情報分析を行う。該情報分析は、該廃油提供者の身分と油使用の習慣分析、廃油品質状況分析、市場占有率分析、消費記録及び廃油回収装置調整分析を包含する。そのうち、廃油提供者の身分データは廃油回収者に回収地点、連絡電話番号、会社或いは個人名称、過去の取引状況等の情報を了解させる。廃油品質状況の分析により、廃油回収者は該廃油提供者の毎回の油使用の習慣、例えば、油使用の温度、重複使用のサイクル等を了解でき、これにより廃油回収者は廃油提供者の油使用情報を管理することができる。廃油品質分析のデータは廃油回収者が回収業務を行う時のグループ分流管理を可能とし、例えば、異なる水分、酸価、ヨウ素価、過酸化物価等の情報により、異なる容器中に収容し、さらに異なる回収再利用工程により、精錬し、各バッチの異なる廃油性質に合った最も妥当な回収再利用工程を使用し、これにより精錬後の再生エネルギー資源の品質を高め必要なコストは減らす。
【００２８】
消費証明（消費記録）に関しては、取引に際して、現金取引のほか、クレジットカード等のプラスチック貨幣或いはネットワーク、ＡＴＭ及び電子認証を通して取引を行うことができるが、これに限定されるわけではない。各取引の記録を通して、明かに市場状況を掌握でき、上述の情報を通して市場占有率の対策を練ることができる。毎回、電話、ワイヤレス識別装置、ネットワーク、或いはｅメールを通して受け取る廃油の情報により、スピーディーに且つ効率的に、廃油回収の車両と容器の調整を行うことができる。このほか、中央管理装置２４１はさらに、廃油処理ラインの生産能力の調整を行う。本発明中、収集した廃油は、生産工程により、再生油製品を形成する（例えばバイオケロシン）。精錬再生油製品は精油工場２６の生産能力のサポートを必要とし、これにより、中央管理装置２４１の統一調整により、回収する廃油をどの精油工場２６に運送するかを決定して、再生油製品生産量の均一性を維持することができる。
【００２９】
図１と図３を参照されたい。そのうち、図３は本発明の廃油管理方法のフローチャートである。図１のシステムを利用し、本発明の廃油管理方法３は、以下のステップを包含する。すなわち、ステップ３０において、通知に基づき、特定地点で廃油を収集する。該廃油は識別装置２１を具えた容器２０内に収集される。本実施例では、該識別装置２１はワイヤレス通信モジュール２１ａとされ、それは、ＲＦＩＤタグ、ＧＰＳモジュール、及びセンサを組合せたものとされるが、これに限定されるわけではない。通知発信方法は、電子メール、電話（サービス員と連絡するか音声システム自動ガイドを利用する）を利用するか、該特定地点に設置された末端装置を利用し、有線或いは無線の方式で、エリアサーバーに接続して登録するか、該特定地点で、該廃油の容器に設けられたワイヤレス通信モジュールにデータを保存し、廃油の保存量に基づき、自動的に信号を発射してネットワークを通して該エリアサーバーに伝送する。通知を受けた後は、ステップ３１が実行され、ステップ３１において、該特定地点に赴き、廃油を収集する。このステップにおいて、エリアサーバー２４０を利用して廃油収集の人員と装置の調整を行ない、人員と廃油回収装置２５を該特定地点に赴かせて廃油を回収させる。該廃油回収装置２５は、廃油保存機能を有する廃油タンクローリーとされ得るが、これに限定されるわけではない。本実施例の廃油は、食用油に属し、これにより該特定地点は、一般家庭、レストラン、ファーストフード店等の地点とされ得る。当然、もし、該廃油が工業用廃油に属する場合は、該特定地点は、工場、自動車修理工場等とされ得るが、これに限定されるわけではない。その後、ステップ３２にて、識別装置２１の情報を読み取り、並びに容器中の廃油に対して検証プロセスを実行する。
【００３０】
本実施例中、図４の容器情報読み取り表示図に示されるように、該読み書き装置２２は廃油回収員が携帯し、該読み書き装置２２に設けられたワイヤレス通信モジュール２２０は、廃油回収装置２５内に設置されたコントロールコンピュータ２５０に情報を伝送し、さらに、該コントロールコンピュータ２５０とエリアサーバー２４０が情報をやりとりする。別の実施例では、該読み書き装置２２は直接ワイヤレスネットワークアクセスポイント２３０によりエリアサーバー２４０と情報をやりとりする。回収人員は到着すると、読み書き装置２２を利用して、廃油を保存した容器２０と情報交流し、該検証プロセスを実行する。図５は検証プロセスフローチャートである。検証プロセスは、以下のステップを包含する。まず、ステップ３２０で身分確認を行う。身分確認は、容器の身分及びＲＦＩＤタグ内の該容器に対応する廃油提供者の身分確認（姓名とＩＤナンバー等の情報）を包含する。該容器の身分確認は、該容器のシリアルナンバー、所属サービスセンター或いはサービスポイント等の関係情報を包含する。このほか、もし、該識別装置２１がバーコードである場合は、回収員はバーコードリーダーを利用してバーコードの関係情報を読み取り、それにより容器の情報を取得することができる。当然、もし該識別装置が手書き式ラベルであれば、読み取りの方式は目視の方式とされ、並びに目視の結果をポータブル記録装置、例えばパソコン、ＰＤＡ、携帯電話或いは車両内のコンピュータ装置に記録するが、これに限定されるわけではない。
【００３１】
廃油提供者の身分を確認する時、廃油提供者は身分を証明するもの、例えば身分証或いは回収業者に申請した会員カードを提示し、そのうち、該会員カードは、ＲＦＩＤタグを具えた会員カードとされ得る。該会員カードの申請については、使用者はエリアサービスセンター或いは廃油回収業者の担当者に申請する。申請の後、廃油回収業者は申請者の身分に対応する廃油保存容器を廃油保存用に申請者に提供し、並びに申請者情報及び申請者の身分に対応する容器情報をエリアサーバーに保存するとともに、ネットワークを利用して中央管理装置に報告して管理する。会員申請の別の実施例は、申請者は直接末端機（コンピュータ）を利用してネットワークを通してエリアサーバーに登録して申請作業を行い、エリアサービスセンターは情報を検証登録した後、容器と会員カードを申請者の指定した地点に運送、提供する。
【００３２】
身分が正確であれば、ステップ３２１を実行し、該容器内に保存された廃油品質を検証する。身分が正確でなければ、ステップ３２２を実行してエリアサービスセンター或いはサービス員と確認を実行し、新たに申請するか或いは会員情報を更新するかを決定する。ステップ３２１において、該容器内にセンサが設置されており、これにより、センサが検出した情報により、ＲＦＩＤタグ（保存ユニットでもよい）内に情報がリアルタイムで記録或いは更新される。記録される情報中、重量センサ或いは液面センサの検出情報により廃油保存量を判断し、さらに、水分センサ、酸価センサ、過酸化物センサ、ヨウ素価センサにより検出した情報により、廃油の品質を判断するが、これに限定されるわけではない。ある実施例においては、水分が０．１％より低く、酸価とヨウ素価が３ｍｇ／ｋｇ以内であれば、廃油品質は優良な廃油品質に属し、そうでなければ、前述の基準との差異性により、廃油品質ランクを断定する。優良な廃油基準及び廃油ランク分類の方式は、使用者の必要により定められ、前述の基準に限定されるわけではない。
【００３３】
検証完了の後、ステップ３２３が実行され、このステップにおいて、該読み書き装置或いは廃油回収装置内のコントロールコンピュータが、関係検証情報をエリアサーバーに送り保存する。該エリアサーバーはこの情報を、中央管理装置内に送り保存し、後日の分析に供する。また、中央管理装置は報告された廃油品質状態と廃油量により、廃油加工処理の地点を決定し、決定した地点の情報を、該エリアサーバーを通して回収員の読み書き装置或いは廃油回収装置のコントロールコンピュータに伝送する。このほか、該読み書き装置は検証情報によりえられた検証品質及び対応する価値などの関係情報を、ワイヤレス通信モジュール内のＲＦＩＤタグ内に記録し、後日の試験に供する。廃油品質の検証には、別の油製品試験用のセンサを使用してもよく、さらに検証の結果をバーコードで出力して容器に貼り付けてもよく、或いは読み書き装置を利用して直接ＲＦＩＤタグ内に書き込んでもよい。もし手書き式ラベルの場合は、回収員が手書き方式で関係する試験情報を該手書き式のラベルに記録する。
【００３４】
図３を再び参照されたい。検証プロセス実行の後、ステップ３３を実行し、検証の結果に基づき、取引プロセスを実行する。いわゆる取引プロセスとは、回収業者が回収する廃油の品質と容量に基づき、対応する価値を廃油提供者に提供する。廃油品質の検証完了後に、廃油回収業者は多元の回収取引方式を提示して廃油提供者の選択に供する。第１実施例中、廃油回収業者は完全に現金方式で、廃油の品質に基づき、一定の現金を提供者に渡して廃油を購入する。このほか、第２実施例では、廃油回収業者は電子マネーの方式で、金額を直接使用者の会員カード中に貯める。使用者は該会員カード内に保存された価値を利用して、廃油回収業者が直接経営或いは協力している商店（デパート、コンビニエンスストア、レストラン或いはガソリンスタンド）で保存された電子マネーを使って消費を行える。
【００３５】
第３実施例では、廃油回収業者は等価の民生物資を廃油提供者に提供して廃油と交換する。該民生物資は、新鮮油製品（例えば動植物油、石化油製品、ミネラルオイル、工業用オイル、バイオケロシン及びバイオガソリン）、トイレットペーパー、米、砂糖、せっけん、塩、家電製品、３Ｃ電子、アクセサリー等とされるが、これに限定されるわけではない。廃油回収業者は大量に民生物資を購入するため、価格は市販価格より低く、このため、廃油提供者は経済的な方式で民生物資を購入できる。このほか、別の取引方式は、廃油提供者が廃油回収業者に頼んで廃油を新鮮な油製品（例えば動植物油、石化油製品、ミネラルオイル、工業用オイル、バイオケロシン及びバイオガソリン）に加工してもらうことである。もし、廃油提供者がこのような取引方式を選択するならば、廃油回収業者は予め廃油回収装置に保存された再生油品或いは新鮮な油を直接廃油提供者に提供する。そしてその後、廃油提供者に対して加工費用を請求する。
【００３６】
第４実施例において、廃油提供者（例えば、レストラン、ファーストフードショップ、工場、自動車修理工場など）が廃油回収業者に廃油を販売、交換或いは加工依頼して取引完成した後、該廃油提供者が至急に新鮮油を会社の正常な営業のために必要とする時（例えばレストランの調理或いは車両のオイル交換が必要である時）、廃油回収業者は廃油提供者が供給したい油量からその必要とする新鮮油量を推算し、即刻新鮮油を廃油提供者に提供して、取引を完成することができる。本実施例中、新鮮油とは、第１次加工で形成された動植物油、石化油、ミネラルオイル、バイオケロシン、及びバイオガソリン或いは再生加工精錬して形成された動植物油、石化油、ミネラルオイル、バイオケロシン、及びバイオガソリンとされ得るが、これに限定されるわけではない。
【００３７】
取引プロセス完成後に、さらにステップ３４で、廃油を工場に運んで加工処理を行う。このステップでは、回収員は、中央管理装置の決定する廃油処理地点に基づき、廃油回収装置を指定された廃油処理の地点に至らせ、回収した廃油の加工処理を行ない、新鮮油（例えば、動植物油、石化油、ミネラルオイル、バイオケロシン、及びバイオガソリン）、せっけん等を形成するが、これに限定されるわけではない。
【００３８】
図６を参照されたい。この図は本発明の廃油管理方法の第２実施例のフローチャートである。本実施例は、基本的には図３の実施例と類似であるが、異なるのは、本実施例の識別装置は、検証プロセスの後に廃油を保存する容器に付与されることである。図６に示されるように、まず、ステップ４０で、通知に基づき特定地点に至り、廃油を収集し、該廃油は容器に収集される。続いて、ステップ４１で、容器中の廃油に対して検証プロセスを実行する。本ステップでは、容器中の廃油の量（重量或いは容積）と品質、例えば、廃油に含有される水分、酸価、ヨウ素価等を検証する。続いて、ステップ４２を実行し、廃油の特徴に対応する識別装置を容器に貼り付ける。本実施例では、該廃油の特徴は、廃油の量、品質、使用者、容器識別情報或いは前述の任意の組合せの情報とされる。該識別装置はバーコード（一次元或いは二次元）とされるか、手書き識別ラベルとされるが、これに限定されるわけではない。その後、ステップ４３で、検証の結果に基づき、取引プロセスを実行する。最後に、ステップ４４で廃油を加工工場に送り処理を行う。ステップ４３とステップ４４の細部は前述のステップ３３と３４と同様であるため、重複した説明は行わない。
【００３９】
図７を参照されたい。この図は本発明の廃油管理方法の第３実施例のフローチャートである。本実施例では、該廃油管理方法５は、まず、ステップ５０で、廃油回収業者がある価格で新鮮油生産者より新鮮油、例えば、これに限定されるわけではないが、サラダオイル、ピーナッツ油、ココナッツオイル或いはオリーブオイル等の食用油を購入する。続いて、ステップ５１で、該廃油回収業者が該新鮮油を特定の割引率で使用者に販売する。このステップでは、該使用者は、一般家庭、フードスタンド、ファーストフード業者或いは飲食店等の油消費者とされる。該特定の割引率とは、購入価格に対する割引率であり、例えば、廃油回収業者が１キロあたり３４台湾ドルで新鮮油生産者より新鮮油を購入し、その後、廃油回収業者が４割の価格（６割引）で使用者に販売する。これにより、使用者はキロ当たり３４×０．４＝１３．６台湾ドルで購入でき、お得に新鮮油を購入できる。取引の割引率は需要により決定され、並びに本発明の６割引に限定されるわけではない。
【００４０】
使用者は該廃油回収業者より新鮮油を購入して、それを使用して廃油を形成する。続いて、ステップ５２で、廃油回収業者は通知を受けて特定地点に赴きその廃油を回収する。そのうち、このステップで、収集する廃油は、使用者が該廃油回収業者より購入した新鮮油が使用されることで形成された廃油である。通知を受けた後、廃油回収業者は特定地点に赴き廃油を回収する。本実施例の廃油は食用油に属し、ゆえに、該特定地点は、一般家庭、レストラン、ファーストフード店等とされる。当然、もし、該廃油が工業用油に属する場合は、該特定地点は、工場、自動車修理工場等とされ得るが、これに限定されるわけではない。その他の細部は前述のステップ４０について述べたことと同様であるため、重複した説明は行わない。続いて、ステップ５３で、容器に保存された廃油に対して検証プロセスを実行する。検証プロセスの細部は前述のステップ４１のプロセスと同様である。説明すべきことは、ステップ５３の検証プロセス中、容器内に保存された廃油重量或いは容積を測定することで使用者が新鮮油を購入する時の量と最後に回収された廃油量との差異を判断し、これにより将来の取引の根拠となすことができる、ということである。このステップ中、使用者はステップ５１で購入した新鮮油を使用しきらないうちに、廃油回収業者に廃油回収を頼む場合がある。このときの検証プロセスは、廃油回収業者が使用者の使用した量と回収する廃油量を比較することでえられる。いかに使用者の使用量を知るかは、使用者に新鮮油容器を提供し、が容器内に保存された量により、使用量を判断できる。
【００４１】
続いて、ステップ５４で、検証プロセスの後、該廃油特徴に対応する識別装置を容器に貼り付ける。本実施例では、該識別装置はバーコード（一次元バーコード或いは二次元バーコード）とされるか、或いは手書き識別ラベルとされ得るが、これに限定されるわけではない。廃油特徴は、廃油保存量、廃油品質及び容器コードの情報を少なくとも包含する。その後、さらにステップ５５を実行し、このステップにおいて、検証結果に基づき取引を実行する。本実施例の精神は、廃油回収業者が便宜な油を使用者に供給するが、使用者に、使用後の廃油を無条件で廃油回収業者に回収させることを要求することにある。これにより、ステップ５５の取引は、ステップ５３で確認した廃油の品質、例えば、水或いはその他の不純物を包含するか否かを根拠として、使用者に差額の支払いを要求する。例えば、使用者が毎週、油をキロ当たり１４．２台湾ドルで、１０００ｋｇ購入すると、一週間の油購入価格（支出）は、１０００ｋｇ×１４．２台湾ドル／ｋｇ＝１４，２００台湾ドル／週（支出）となる。廃油形成の後、検証プロセスで、回収した廃油が９００ｋｇであると、油消耗率は０．１である。仮に、廃油に水分或いはその他の不純物が混入していなければ、１０％の量が少なくなっており、これにより、使用者は、２０．４×１０００ｋｇ×０．１＝２０４０／週（支出）をさらに必要とする。この時、返還される単位価格は、廃油回収業者が購入した時の価格の６割を計算の基準とする（３４×０．６＝２０．４台湾ドル／ｋｇ）。少なくなった油の単位価格は、購入時の６割とされているが、実際には廃油回収業者と使用者の契約に準じ、並びに６割に限定されるわけではない。最後に、廃油回収業者が廃油を回収した後、ステップ５６で廃油を工場に運び加工処理を行ない、このステップの特徴は、前述のステップ３４で説明したとおりであるため、重複した説明は行わない。
【００４２】
本発明の第３実施例の商業モデルを利用し、使用者は、更に便宜な油を使用することができ、これにより、使用者は常に油を交換でき、食品の安全を、より保障することができ、消費者は油の過度の重複使用による健康への害を心配する必要がなくなる。例えば、周知の技術では、使用者の油使用習慣が、毎週油１０００ｋｇ×３４台湾ドル／ｋｇ＝３４，０００台湾ドル／週（支出）であるとする。油の過度の使用で油変色後の油消耗率が０．２であるとすると、廃油量は８００ｋｇで、廃油を販売することによる収入は、８００ｋｇ×１６台湾ドル／ｋｇ＝１２，８００／週である。これにより新鮮油を購入するためのコストは、３４，０００−１２，８００＝２１，２００台湾ドル／週である。これにより、毎月８４，８００台湾ドル／月（単位コスト：２１．２台湾ドル／週・ｋｇ）となる。
【００４３】
一方、本発明の第２実施例を利用する使用者は、毎週１０００ｋｇ×１４．２台湾ドル／ｋｇ＝１４，２００台湾ドル／週（支出）の使用習慣であるとする。廃油を形成した後、油消耗率が０．２であるとすると、該油消耗率に対応して増加する費用は、２０．４×１０００ｋｇ×０．２＝４０８０台湾ドル／週（支出）である。これにより、使用者が負担しなければならない油コストは、１４，２００＋４，０８０＝１８２８０台湾ドル／週であり、すなわち、毎月７３１２０台湾ドル／月（単位コスト：１８．２８台湾ドル／週・ｋｇ）となる。本発明の第３実施例を利用する使用者は、油消耗率が減少し得る。油消耗率を０．１として計算し、使用者が毎週１０００ｋｇ×１４．２台湾ドル／ｋｇ＝１４，２００台湾ドル／週（支出）の使用習慣であるとする。廃油形成の後、該油消耗率に対応して増加する費用は、２０．４×１０００ｋｇ×０．１＝２０４０台湾ドル／週（支出）である。これにより、使用者が負担しなければならない油コストは、１４，２００＋２，０４０＝１６２４０台湾ドル／週であり、すなわち、毎月６４９６０台湾ドル／月（単位コスト：１６．２４台湾ドル／週・ｋｇ）となる。これにより、上述の比較から、本発明の方式を利用すると、使用者はお得な価格１６．２４０台湾ドル／ｋｇで新鮮油を購入でき、廃油回収業者も廃油を確保でき、その他の同業者との不当な競争から、廃油供給の不安定がもたらされるのを防止できる。説明しておくべきことは、図７の実施例は図６の実施例の延長であり、この分野の技術に詳しい者であれば、図７中のステップ５０とステップ５１と図３のプロセスを結合させることができる。
【００４４】
以上の説明は、本発明の実施例に関するものであって、本発明の範囲を制限するものではない。本発明の特許請求の範囲の記載に基づきなし得る均等の変化及び修飾であって、本発明の意義を失わないものは、本発明の精神と範囲を逸脱せず、ゆえに本発明のさらに進んだ実施状況と見なされるべきである。例えば、本発明のエリアサーバーと中央管理装置は必要に応じて一つに整合されるか、或いは分離され、それは経営エリアの範囲の大きさと需要により決定される。
【符号の説明】
【００４５】
２  廃油管理システム
２０、２０ａ  容器
２００  開口
２００ａ  廃油入口
２０１ａ  フィルタネット
２１  識別装置
２１ａ  ワイヤレス通信モジュール
２１０ａ  ＲＦＩＤタグ
２１１ａ  ＧＰＳモジュール
２１２ａ、２１３ａ  センサ
２２  読み書き装置
２２０  ワイヤレス通信モジュール
２３  ネットワークエリア
２３０  ワイヤレスネットワークアクセスポイント
２４  管理ユニット
２４０  エリアサーバー
２４１  中央管理装置
２５  廃油回収装置
２５０  コントロールコンピュータ
２６  工場
２１ｂ  ワイヤレスセンサネットワークモジュール
２１０ｂ  コントロールモジュール
２１１ｂ  ワイヤレス送受信モジュール
２１２ｂ  ＧＰＳモジュール
２１３ｂ、２１５ｂ  センサ
２１４ｂ  保存ユニット
２１ｃ  ワイヤレス通信モジュール
２１１ｃ  通信チップモジュール
２１０ｃ  コントロールモジュール
２１５ｃ  センサ
２１２ｃ  ＧＰＳモジュール
２１４ｃ  保存ユニット
２１３ｃ  センサ
２７、２８  表示ユニット
３  廃油管理方法
３０、３１、３２、３３、３４  ステップ
３２０、３２１、３２２、３２３  ステップ
４  廃油管理方法
４０、４１、４２、４３、４４  ステップ
５  廃油管理方法
５０、５１、５２、５３、５４、５５、５６  ステップ
【図１】
2010282614.tif 000003
【図２Ａ】
2010282614.tif 000004
【図２Ｂ】
2010282614.tif 000005
【図２Ｃ】
2010282614.tif 000006
【図２Ｄ】
2010282614.tif 000007
【図２Ｅ】
2010282614.tif 000008
【図３】
2010282614.tif 000009
【図４】
2010282614.tif 000010
【図５】
2010282614.tif 000011
【図６】
2010282614.tif 000012
【図７】
2010282614.tif 000013